(57)【要約】【課題】簡単な構造で洗濯機稼働時の騒音を効果的に低減する。【解決手段】モータ（53）で回転駆動する回転ドラム（15）を内包した水受槽（17）がコイルばね（67）により筐体（13）内に吊り下げて弾性支持された洗濯機（11）において、筐体（13）に取り付けられてコイルばね（67）の一端が引っ掛けられるばね取付部材（65）の被取付部（73）とその被取付部（73）に対向する筐体（13）の側壁部（27b）との間の隙間に、弾性体からなる振動減衰部材（85）を挟み込む。【選択図】図３
2016120196.tif 000002
【特許請求の範囲】
【請求項１】
筐体と、
前記筐体内に設けられた水受槽と、
前記水受槽内で回転駆動する洗濯槽と、
前記筐体の上側部分に取り付けられ、該筐体の側壁部に隙間をあけて対向する板状の被取付部を有するばね取付部材と、
一端が前記ばね取付部材の被取付部に引っ掛けられると共に、他端が前記水受槽に引っ掛けられることで、前記水受槽を前記筐体内に吊り下げて弾性支持するコイルばねと、を備える洗濯機であって、
前記ばね取付部材の被取付部と該被取付部に対向する前記筐体の側壁部との間の隙間には、前記水受槽から前記コイルばねを通して前記筐体に伝わる振動を減衰させる、弾性体からなる振動減衰部材が挟み込まれている
ことを特徴とする洗濯機。
【請求項２】
請求項１に記載された洗濯機において、
前記ばね取付部材は、前記被取付部と一体に設けられた、前記筐体に固定される板状の固定部を有し、
前記ばね取付部材の被取付部には、当該被取付部が対向する前記筐体の側壁部側に凹んだ凹形状、又は当該被取付部が対向する前記筐体の側壁部とは反対側に突出した凸形状の補強部が、前記コイルばねの取付け箇所から前記固定部側の端縁にまで形成されている
ことを特徴とする洗濯機。
【請求項３】
請求項２に記載された洗濯機において、
前記振動減衰部材のうち前記ばね取付部材の被取付部側の面は、前記補強部に合わせた形状に形成され、前記被取付部のうち前記補強部及びその他の部分に密着している
ことを特徴とする洗濯機。
【請求項４】
請求項１〜３のいずれか１項に記載された洗濯機において、
前記ばね取付部材又は前記筐体と前記振動減衰部材とのうち、一方の部材には嵌合孔が設けられ、他方の部材には前記嵌合孔に嵌合する凸部が設けられている
ことを特徴とする洗濯機。
【発明の詳細な説明】
【技術分野】
【０００１】
本発明は、筐体にばね取付部材が取り付けられ、このばね取付部材に引っ掛けられた複数本のコイルばねにより水受槽が筐体内に吊り下げて弾性支持された洗濯機に関する。
【背景技術】
【０００２】
一般的に、洗濯機は、このように弾性支持された水受槽内に回転可能に支持される洗濯槽を備え、この洗濯槽に収容した洗濯物に対し、洗い、すすぎ及び脱水の各工程を実行する。これらの工程のうち脱水工程では、洗濯槽が高速回転するため、同槽の回転動作の振動により騒音が発生して使用者に不快感を与えることがある。特に、筐体は洗濯機外装であるので、その振動は使用者に直接騒音を伝えることとなり、この筐体振動に起因する騒音が大きいと商品価値を著しく落とすことになる。
【０００３】
そこで、このような筐体の振動を防止するための洗濯機の構成が従来から提案されている。例えば、特許文献１に開示された洗濯機では、筐体と水受槽（洗濯機本体）との間に消音材を収納することで、洗濯機稼働時の筐体の振動及びそれによる騒音の低減を図っている。また、特許文献２に開示された洗濯機では、水受槽をコイルばねで弾性支持する筐体に片持ち式の動吸振器を取り付けることによって、筐体の振動及びそれによる騒音の低減を図っている。
【先行技術文献】
【特許文献】
【０００４】
【特許文献１】特開平２−９８８８５号公報
【特許文献２】ＥＰ２０９７５７７号公報
【発明の概要】
【発明が解決しようとする課題】
【０００５】
洗濯機において、洗濯槽の回転動作で水受槽に振動が生じたときに、その水受槽を支持するコイルばねを通して筐体に伝搬される振動には、水受槽自体や水受槽とコイルばねとを振動系とする固有振動の周波数成分、洗濯槽及びこれを回転駆動させる回転駆動装置の回転周波数成分、さらにコイルばね自体の固有振動に起因したサージングと呼ばれる振動現象の周波数成分など、広帯域に亘る周波数成分が含まれている。特に、局所的な固有振動や上記コイルばねのサージングに含まれる周波数領域では、共振現象により振幅が増大するため、筐体から放射される騒音が大きくなる。
【０００６】
また、洗濯槽が回転すると、コイルばねにかかる引張り力が変動し、この引張り力の変動が、コイルばねが引っ掛けられたばね取付部材及びこれが固定された筐体部分に局所的な曲げ変形を繰り返し生じさせるため、それによる軋み音が発生する。また、このような曲げ変形により水受槽の揺動変位が増大するため、水受槽を下側で支持するダンパー等の振動抑制装置の作動音も大きくなる。
【０００７】
洗濯機稼働時には、上述した筐体からの騒音や筐体等の軋み音、振動抑制装置の作動音が問題となるところ、特許文献１の洗濯機では、消音材で低減できる騒音の音域が限られており、しかも、消音材を筐体の内面に広範囲に亘って取り付けないと、その限られた音域でも十分な消音効果が得られないため、生産コストが嵩む上に組立て性が悪いという問題がある。
【０００８】
また、特許文献２の洗濯機では、動吸振器の振動抑制効果を発揮する周波数帯域が狭いため、洗濯機に生じる振動及びそれによる騒音を広帯域に亘って低減するのが難しい。すなわち、この洗濯機での動吸振器による振動抑制効果は、局所的な固有振動の周波数成分に対しては有効であるが、上述したコイルばねのサージングや筐体等の軋み音、振動抑制装置の作動音に対しては殆ど効果が期待できない。
【０００９】
本発明は、斯かる点に鑑みてなされたものであり、その目的とするところは、簡単な構造で洗濯機稼働時の騒音を効果的に低減することにある。
【課題を解決するための手段】
【００１０】
上記の目的を達成するために、この発明では、ばね取付部材及びこれが取り付けられた筐体部分の局所的な固有振動及びコイルばねの固有振動に起因するサージングに対する減衰手段を付加し、その減衰手段によってばね取付部材及びこれが取り付けられた筐体部分の曲げ変形も抑制するようにした。
【００１１】
具体的には、本発明は、筐体と、この筐体内に設けられた水受槽と、この水受槽内で回転駆動する洗濯槽と、筐体に取り付けられたばね取付部材と、このばね取付部材を介して筐体に水受槽を弾性支持するコイルばねと、を備える洗濯機を対象とする。ばね取付部材は、筐体の側壁部に隙間をあけて対向する板状の被取付部を有する。また、コイルばねの一端はばね取付部材の被取付部に引っ掛けられると共に、当該コイルばねの他端は水受槽に引っ掛けられる。そして、本発明は、上記構成の洗濯機において、以下の解決手段を講じたものである。
【００１２】
すなわち、第１の発明は、ばね取付部材の被取付部とこの被取付部に対向する筐体の側壁部との間に、水受槽からコイルばねを通して筐体に伝わる振動を減衰させる、弾性体からなる振動減衰部材が挟み込まれていることを特徴とする。
【００１３】
第２の発明は、第１の発明の洗濯機において、ばね取付部材が、被取付部と一体に設けられた、筐体に固定される板状の固定部を有する構成となっている。そして、第２の発明は、ばね取付部材の被取付部に、当該被取付部が対向する筐体の側壁部側に凹んだ凹形状、又は当該被取付部が対向する筐体の側壁部とは反対側に突出した凸形状の補強部が、コイルばねの取付け箇所から固定部側の端縁にまで形成されていることを特徴とする。
【００１４】
第３の発明は、第２の発明の洗濯機において、振動減衰部材のうちばね取付部材の被取付部側の面が、その被取付部の補強部に合わせた形状に形成され、当該被取付部のうち補強部及びその他の部分に密着していることを特徴とする。
【００１５】
第４の発明は、第１〜第３の発明のいずれか１つの洗濯機において、ばね取付部材又は筐体と振動減衰部材とのうち、一方の部材に嵌合孔が設けられ、他方の部材にその嵌合孔に嵌合する凸部が設けられていることを特徴とする。
【発明の効果】
【００１６】
第１の発明によれば、ばね取付部材のうちコイルばねが引っ掛けられる被取付部と筐体の側壁部との間に挟み込んだ振動減衰部材で水受槽から筐体に伝わる振動を減衰させるようにしたので、筐体及びばね取付部材の局所的な固有振動と、コイルばね自体の固有振動に起因するサージングとを低減することができる。さらに、振動減衰部材の弾性力によりばね取付部材及びこれが取り付けられた筐体部分の曲げ変形を抑制でき、それによってこれらばね取付部材及び筐体の軋み音を低減することができる。また、この曲げ変形の抑制効果によって水受槽の揺動変位を減少させることができるので、洗濯機が水受槽を下側で支持する振動減衰装置を備える場合には、その振動減衰装置の作動音も低減することができる。したがって、ばね取付部材の被取付部と筐体の側壁部との間の隙間に振動減衰部材を挟み込むという簡単な構造で洗濯機稼働時の騒音を効果的に低減することができる。
【００１７】
第２の発明によれば、ばね取付部材の被取付部の剛性を凹形状又は凸形状の補強部で高めるようにしたので、ばね取付部材の曲げ変形をよりいっそう抑制することができ、ばね取付部材の軋み音をさらに低減することができる。
【００１８】
第３の発明によれば、振動減衰部材を被取付部のうち補強部及びその他の部分に密着させるようにしたので、振動減衰部材をこれら両部分の一方だけに密着させる場合と比較して、ばね取付部材及びこれが取り付けられた筐体部分の曲げ変形をより抑制することができる。これにより、ばね取付部材及び筐体の軋み音と、振動減衰装置を備える場合にはその作動音とを良好に低減することができる。
【００１９】
第４の発明によれば、振動減衰部材の位置ずれを嵌合孔と凸部との嵌合構造により規制するようにしたので、当該振動減衰部材がばね取付部材の被取付部と筐体の側壁部との間の隙間からずり落ちるのを防止できる。したがって、振動減衰部材による上述の騒音低減効果を長期に亘り安定して得ることができる。
【図面の簡単な説明】
【００２０】
【図１】本発明の実施形態に係る洗濯機の構成を示す断面図である。
【図２】図１のII−II線における洗濯機の筐体とその内部の要部構成とを模式的に示す断面図である。
【図３】本発明の実施形態に係る洗濯機の要部を示す斜視図である。
【図４】本発明の実施形態に係る洗濯機の要部を筐体内側から見た側面図である。
【図５】図４のV−V線における洗濯機の要部を示す断面図である。
【図６】本発明の実施形態に係る洗濯機に用いられる振動減衰部材の斜視図である。
【図７】本発明の実施形態に係る洗濯機に用いられる振動減衰部材の斜視図である。
【発明を実施するための形態】
【００２１】
以下、本発明に係る実施形態を図面に基づいて詳細に説明する。なお、以下の実施形態は、本質的に好ましい例示であって、本発明、その適用物、或いはその用途の範囲を制限することを意図するものではない。また、以下の実施形態では、洗濯機について、洗濯物の収容口が設けられた側を「前」、その反対側を「後」と称し、収容口に向かって左右方向における左側を「左」、右側を「右」と称し、設置状態での上下方向における上側を「上」、下側を「下」と称する。
【００２２】
この実施形態では、洗濯物を収容する回転ドラムを横向きに支持した、いわゆるドラム式洗濯機を例に挙げて説明する。図１は、この洗濯機１１の構成を示す断面図である。図２は、図１のII−II線における洗濯機１１の筐体１３とその内部の要部構成を模式的に示す断面図である。
【００２３】
洗濯機１１は、図１に示すように、当該洗濯機１１の外装を構成する筐体１３を備え、この筐体１３内に、上記回転ドラム１５及びこれを内包する水受槽１７からなる洗濯槽ユニット１９と、回転ドラム１５を回転駆動する駆動機構２１と、水受槽１７を弾性支持する支持機構２３と、洗濯槽ユニット１９に洗濯水を供給する給水経路（不図示）と、洗濯槽ユニット１９から洗濯水を排水する排水経路２５とが設けられた構成を有する。
【００２４】
筐体１３は、上面が開口した矩形箱状の筐体本体２７と、この筐体本体２７の上側開口２８を塞ぐ蓋体２９とを備える。筐体本体２７は、略矩形状の基底部２７ａと、この基底部２７ａの周縁から上方に延びて四方を囲む側壁部２７ｂとを備える。この筐体本体２７の側壁部２７ｂの上端には、当該筐体本体２７の上側開口２８の内方に突出する板状の内フランジ片３１が全周に亘って設けられている。この内フランジ片３１は、当該筐体本体２７の上側開口２８周縁部を構成している。
【００２５】
また、筐体本体２７の前側の側壁部２７ｂには、洗濯物を出し入れするための円形の収容口３３が形成されている。この収容口３３には、当該収容口３３を開閉するドア部３５が左右方向に回動可能に取り付けられている。
【００２６】
回転ドラム１５と水受槽１７とは、一端側に開口１６，１８を有する円筒状に形成されており、互いの中心線を一致させた状態で共に前後方向に横置きで筐体１３内に設置されている。回転ドラム１５の開口１６と水受槽１７の開口１８と筐体１３の収容口３３とは互いに対応していて、ドア部３５を開状態とすることで、回転ドラム１５の内部に洗濯物を投入できるようになっている。
【００２７】
水受槽１７は、洗濯機１１が洗いやすすぎの工程を実行するときに、給水経路から洗濯槽ユニット１９に供給された洗濯水を貯留する容器である。この水受槽１７の周壁部１７ａのうち前後方向における中程で左方上側の部分と右方上側の部分とには、上方に突出した略半円板状のブラケット片３７が１つずつ、計２つ設けられている。これら各ブラケット片３７には、後述するコイルばね６７を引っ掛けるための引掛け孔３８が形成されている。
【００２８】
回転ドラム１５は、水受槽１７内に回転可能に支持されていて、駆動機構２１により回転駆動されることで、収容した洗濯物を上方に上げては落とす叩き洗いを繰り返し実行する洗濯槽である。この回転ドラム１５の周壁部１５ａには、小径の貫通孔３９が所定配列で全周に亘って複数形成されている。水受槽１７に貯留された洗濯水は、これら複数の貫通孔３９を通って回転ドラム１５内に出入りする。この回転ドラム１５の奥側に位置する底部には、当該回転ドラム１５を支持する円板状のドラム支持部４１が全面に亘って設けられている。
【００２９】
駆動機構２１は、このドラム支持部４１の中心部分に一端側が固定された回転軸４３と、この回転軸４３の他端側に取り付けられた従動プーリ４５と、この従動プーリ４５と対をなす駆動プーリ４７と、これら両プーリ４５，４７に巻き掛けられたベルト４９と、駆動プーリ４７が取り付けられた駆動軸５１を有する駆動源としてのモータ５３とを備える。
【００３０】
水受槽１７のうちドラム支持部４１に対応する底部中央には、回転軸４３が挿通される挿通部５５を有している。この挿通部５５には、回転軸４３を回転自在に支持する軸受５７が設けられている。こうして、駆動機構２１は、モータ５３の回転力をプーリ４５，４７間でベルト４９を用いて伝動し、水受槽１７を回転させずに回転ドラム１５のみを回転駆動させるようになっている。
【００３１】
支持機構２３は、図１及び図２に示すように、水受槽１７を筐体１３の下側で弾性支持する下側支持機構５９と、水受槽１７を筐体１３の上側から筐体１３内に吊り下げて弾性支持する上側支持機構６１とを備える。
【００３２】
下側支持機構５９は、水受槽１７のうち前方左側の部分と前方右側の部分と後方左側の部分と後方右側の部分とに１つずつ設けられた、計４つのダンパー６３で構成されている。これら各ダンパー６３の一端は、水受槽１７の周壁部１７ａに固定されると共に、これら各ダンパー６３の他端は、筐体１３の基底部２７ａに固定されている。これら４つのダンパー６３は、その作動によって水受槽１７の揺動変位を吸収するようになっている。
【００３３】
図３は、本実施形態に係る洗濯機１１の要部であるばね取付部材６５の被取付部７３とその周辺部分の構成とを示す斜視図である。図４は、洗濯機１１の要部を筐体１３内側から見た側面図である。図５は、図４のV−V線における洗濯機１１の要部を示す断面図である。上側支持機構６１は、図３〜図５に示すように、筐体本体２７における上端面、つまり当該筐体本体２７の開口周縁部にある内フランジ片３１のうち左右両側の部分に取り付けられた一対のばね取付部材６５と、これら各ばね取付部材６５に１本ずつ取り付けられた、計２本のコイルばね６７とで構成されている。
【００３４】
ばね取付部材６５は、前後方向に延びる細長い金属製のブラケットである。このばね取付部材６５は、筐体１３の内フランジ片３１に固定される帯板状の固定部６９と、この固定部６９と直角をなす帯板状の垂下部７１とを備える。これら固定部６９と垂下部７１とは、側端縁同士が一体に形成され、全体として断面Ｌ字状をなしている。垂下部７１の長手方向における中央部分には、コイルばね６７が取り付けられる被取付部７３が設けられている。
【００３５】
ばね取付部材６５は、固定部６９を筐体１３の内フランジ片３１に上側から重ね当てて、垂下部７１を内フランジ片３１の突出端から筐体１３の内側下方へ垂下させた姿勢とし、その状態で固定部６９を内フランジ片３１に加締め固定することで、筐体本体２７に取り付けられている。このように取り付けられたばね取付部材６５の被取付部７３を含む垂下部７１は、筐体本体２７の側壁部２７ｂのうち内フランジ片３１の下側部分に隙間をあけて対向する。
【００３６】
ばね取付部材６５の被取付部７３は、垂下部７１の他の部分よりも下方に突出している。この被取付部７３には、当該被取付部７３が対向する筐体本体２７の側壁部２７ｂ側に凹んだ凹形状の補強部７５が、上下方向の全体に亘って設けられている。そのことで、ばね取付部材６５の被取付部７３の剛性が高められている。ばね取付部材６５の被取付部７３のうちこの補強部７５の両側には、円形の嵌合孔７７が一対に設けられている。
【００３７】
ばね取付部材６５の補強部７５の底面には、当該ばね取付部材６５の被取付部７３とこれに対向する筐体本体２７の側壁部２７ｂとの間の隙間に連通する開口部７９が形成されている。この開口部７９には、その内周縁を覆う樹脂製のばね受け部材８１が取り付けられている。このばね受け部材８１には、コイルばね６７の一端を通す引掛け孔８３が形成されている。この引掛け孔８３の下側部分は、コイルばね６７一端（後述する引掛け部６７ａ）を周縁部で取り囲み、その前後方向における移動を規制する形状及びサイズに形成されている。
【００３８】
コイルばね６７は、両端にフック形状の引掛け部６７ａ，６７ｂを有する。コイルばね６７の一端側にある引掛け部６７ａは、ばね受け部材８１の引掛け孔８３を通して当該ばね受け部材８１で受けられ、ばね取付部材６５の被取付部７３に引っ掛けられている。また、コイルばね６７の他端側にある引掛け部６７ｂは、水受槽１７のブラケット片３７の引掛け孔３８を通して当該ブラケット片３７に引っ掛けられている。そのことで、コイルばね６７は、水受槽１７を筐体１３内に吊り下げて弾性支持している。
【００３９】
そして、ばね取付部材６５の被取付部７３とこの被取付部７３に対向する筐体本体２７の側壁部２７ｂとの間の隙間には、水受槽１７からコイルばね６７を通して筐体１３に伝わる振動を減衰させる、弾性体からなる振動減衰部材８５が挟み込まれている。この振動減衰部材８５は、上記隙間に下方から圧入されることで、若干圧縮された状態に取り付けられる。
【００４０】
振動減衰部材８５の材料は、エチレンプロピレンジエンゴム（ＥＰＤＭ：ethylene propylen dien monomer）やアクリロニトリルブタジエンゴム（ＮＢＲ：acrylonitrile-butadiene rubber）などのゴム材料である。この振動減衰部材８５の硬度は、例えば、ＪＩＳ  Ｋ６２５３に準拠してＡ３０〜Ａ７０程度である。
【００４１】
図６は、振動減衰部材８５を正面側から示す斜視図である。図７は、振動減衰部材８５を背面側から示す斜視図である。振動減衰部材８５のうちばね取付部材６５の被取付部７３側の面は、図６に示すように、補強部７５に合わせた形状に形成されている。具体的には、振動減衰部材８５の幅方向における両端部分８５ａを除く中程部分には、補強部７５の形状に倣って凹んだ第１凹状部８７が形成されている。この第１凹状部８７の底面のうちばね受け部材８１の引掛け孔８３に対応する部分には、当該第１凹状部８７よりも幅の狭い溝状の第２凹状部８９が形成されている。さらに、この第２凹状部８９の底面には、当該第２凹状部８９よりも幅の狭い溝状の第３凹状部９１が形成されている。
【００４２】
第２凹状部８９及び第３凹状部９１は、下方に開口しており、コイルばね６７の引掛け部６７ａをばね取付部材６５の被取付部７３に引っ掛ける際に当該引掛け部６７ａが振動減衰部材８５に引っ掛からないようにする逃げ部９３を形成している。これによって、コイルばね６７の引掛け部６７ａをばね取付部材６５の被取付部７３に引っ掛け易くなっている。これら第２凹状部８９及び第３凹状部９１の上側は、これら両凹状部８９，９１の側壁同士を連結する上側連結部９５で閉塞されている。
【００４３】
そして、振動減衰部材８５は、第１凹状部８７の底面及び側面でばね取付部材６５の被取付部７３のうち補強部７５に密着し、第１凹状部８７の両側に位置する部分８５ａで当該被取付部７３のうち補強部７５以外のその他の部分に密着している。この振動減衰部材８５のうち第１凹状部８７の両側に位置する部分、つまり同部材８５の両端部分８５ａには、ばね取付部材６５の被取付部７３に設けられた嵌合孔７７に嵌合する略円柱状の凸部９７が一対に設けられている。振動減衰部材８５は、これら一対の凸部９７を対応する嵌合孔７７に嵌合させることで、ばね取付部材６５の被取付部７３に位置ずれ規制されている。
【００４４】
この振動減衰部材８５の両端部分８５ａの背面側には、図７に示すように、下方に向かって前後方向に広がる形状、例えば背面視で三角形状の切欠き９９が形成されている。そのことで、振動減衰部材８５の両端部分８５ａは、撓み易くなっており、振動減衰部材８５を下側からばね取付部材６５の被取付部７３とこれに対応する筐体本体２７の側壁部２７ｂとの間の隙間に挿入していくときに、凸部９７が嵌合孔７７に嵌合するまでの間は、筐体本体２７の側壁部２７ｂ側に撓み変形させることができる。これによって、振動減衰部材８５は、凸部９７を潰さずに上記隙間に挿入し易くなっている。
【００４５】
−実施形態の効果−
上記構成の洗濯機１１によると、回転ドラム１５の回転動作で水受槽１７に振動が生じたときに、その水受槽１７を支持するコイルばね６７を通して筐体１３に伝搬される振動を振動減衰部材８５によって減衰させ、筐体本体２７及びばね取付部材６５の局所的な固有振動と、コイルばね６７自体の固有振動に起因するサージングとを低減することができる。また、ばね取付部材６５の被取付部７３の剛性が補強部７５で高められているので、ばね取付部材６５の曲げ変形を抑制することができる。それに加え、コイルばね６７の引張り力の変動に起因するばね取付部材６５及びこれが取り付けられた筐体本体２７の曲げ変形を振動減衰部材８５の弾性力により抑制でき、それによってこれらばね取付部材６５及び筐体本体２７の軋み音を低減することができる。また、この曲げ変形の抑制効果によって水受槽１７の揺動変位を減少させることができるので、洗濯機１１が水受槽１７を下側で支持するダンパー６３の作動音も低減することができる。したがって、ばね取付部材６５の被取付部７３と筐体本体２７の側壁部２７ｂとの間の隙間に振動減衰部材８５を挟み込むという簡単な構造で洗濯機１１稼働時の騒音を効果的に低減することができる。
【００４６】
なお、上記実施形態では、振動減衰部材８５がばね取付部材６５の被取付部７３とこれに対向する筐体本体２７の側壁部２７ｂとの間の隙間に圧入され、凸部９７と嵌合孔７７との嵌合構造により位置ずれ規制されているとしたが、本発明はこれに限らず、振動減衰部材８５は、ばね取付部材６５の被取付部７３とこれに対向する筐体本体２７の側壁部２７ｂとの間の隙間と同等の厚さで形成され、ばね取付部材６５の被取付部７３及び筐体本体２７の側壁部２７ｂのうち少なくとも一方に接着剤や両面テープなどの接合材で接着され、それによって位置ずれ規制されていてもよい。また、振動減衰部材８５は、これらばね取付部材６５の被取付部７３及び筐体本体２７の側壁部２７ｂの両方に密着した状態に保持されるのであれば、その他の取付け状態であっても構わない。
【００４７】
また、上記実施形態では、振動減衰部材８５の逃げ部９３が第２凹状部８９及び第３凹状部９１からなる多段構成の凹部で形成されるとしたが、本発明はこれに限らず、振動減衰部材８５に第３凹状部９１が設けられておらず、逃げ部９３が第２凹状部８９のみで形成されていてもよい。
【００４８】
また、上記実施形態では、ばね取付部材６５の被取付部７３に嵌合孔７７が設けられ、振動減衰部材８５に凸部９７が設けられているとしたが、本発明はこれに限らず、振動減衰部材８５に嵌合孔が設けられ、ばね取付部材６５の被取付部７３にこの嵌合孔に嵌合する凸部が設けられていてもよい。この場合の嵌合孔は、貫通孔であってもよいし、底面を有する凹部であっても構わない。
【００４９】
また、上記実施形態では、これら嵌合孔７７と凸部９７とがそれぞれ一対ずつ、２組設けられているとしたが、本発明はこれに限らず、これら嵌合孔７７と凸部９７とは、それぞれ１つずつ、１組だけ設けられていてもよく、それぞれ３つずつ、３組以上設けられていても構わない。
【００５０】
また、上記実施形態では、振動減衰部材８５がばね取付部材６５の被取付部７３に位置ずれ規制されているとしたが、本発明はこれに限らず、振動減衰部材８５は、筐体本体２７の側壁部２７ｂに位置ずれ規制されていてもよい。
【００５１】
例えば、筐体本体２７の側壁部２７ｂに嵌合孔が設けられ、振動減衰部材８５にその嵌合孔に嵌合する凸部が設けられ、振動減衰部材８５は、これら嵌合孔と凸部との嵌合構造により筐体本体２７の側壁部２７ｂに位置ずれ規制されていてもよい。このような構成によっても、振動減衰部材８５による上述の騒音低減効果を長期に亘り安定して得ることができる。
【００５２】
その他、振動減衰部材８５に嵌合孔が設けられ、筐体本体２７の側壁部２７ｂにこの嵌合孔に嵌合する凸部が設けられ、振動減衰部材８５が、これら嵌合孔と凸部との嵌合構造により筐体本体２７の側壁部２７ｂに位置ずれ規制されていてもよい。この場合の嵌合孔は、貫通孔であってもよいし、底面を有する凹部であって構わない。
【００５３】
また、上記実施形態では、ばね取付部材６５の補強部７５が凹形状であるとしたが、本発明はこれに限らず、この補強部７５は、ばね取付部材６５の被取付部７３が対向する筐体本体２７の側壁部２７ｂとは反対側に突出した凸形状に形成されていてもよい。このような構成であっても、ばね取付部材６５の被取付部７３の剛性を高めて、ばね取付部材６５の曲げ変形を抑制することができる。
【００５４】
また、上記実施形態では、補強部７５がばね取付部材６５の被取付部７３の上下方向における全体に亘って形成されているとしたが、本発明はこれに限らず、この補強部７５は、ばね取付部材６５の被取付部７３のうちコイルばね６７の取付け箇所、つまり当該被取付部７３の開口部７９下縁の左右に対応する部分から固定部６９側の端縁にまで形成されていれば上述した剛性向上効果を十分に得ることができる。
【００５５】
また、上記実施形態では、ばね取付部材６５が筐体本体２７の上端に設けられた内フランジ片３１に取り付けられているとしたが、本発明はこれに限らず、筐体本体２７の上側部分に専用のブラケットが設けられていて、そのブラケットにばね取付部材６５が取り付けられていてもよい。このばね取付部材６５は、筐体１３の上側部分に取り付けられて、水受槽１７をコイルばね６７で弾性支持できればよい。
【００５６】
また、上記実施形態では、本発明に係る洗濯機についてドラム式洗濯機１１を例に挙げて説明したが、本発明はこれに限らず、その他の方式の洗濯機、例えば縦型洗濯機や乾燥機能付きの洗濯機にも適用可能である。
【００５７】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【産業上の利用可能性】
【００５８】
以上説明したように、本発明は、水受槽が筐体にコイルばねで吊り下げて弾性支持された構成を有する洗濯機について有用であり、特に、簡単な構造で稼働時の騒音を低減することが要望される洗濯機に適している。
【符号の説明】
【００５９】
１１…洗濯機、１３…筐体、１５…回転ドラム（洗濯槽）、１６…開口、１７…水受槽、１８…開口、１９…洗濯槽ユニット、２１…駆動機構、２３…支持機構、２５…排水経路、２７…筐体本体、２７ａ…基底部、２７ｂ…側壁部、２８…上側開口、２９…蓋体、３１…内フランジ片、３３…収容口、３５…ドア部、３７…ブラケット片、３８…引掛け孔、３９…貫通孔、４１…ドラム支持部、４３…回転軸、４５…従動プーリ、４７…駆動プーリ、４９…ベルト、５１…駆動軸、５３…モータ、５５…挿通部、５７…軸受、５９…下側支持機構、６１…上側支持機構、６３…ダンパー、６５…ばね取付部材、６７…コイルばね、６７ａ，６７ｂ…引掛け部、６９…固定部、７１…垂下部、７３…被取付部、７５…補強部、７７…嵌合孔、７９…開口部、８１…ばね受け部材、８３…引掛け孔、８５…振動減衰部材、８７…第１凹状部、８９…第２凹状部、９１…第３凹状部、９３…逃げ空間、９５…上側連結部、９７…凸部、９９…切欠き
【図１】
2016120196.tif 000003
【図２】
2016120196.tif 000004
【図３】
2016120196.tif 000005
【図４】
2016120196.tif 000006
【図５】
2016120196.tif 000007
【図６】
2016120196.tif 000008
【図７】
2016120196.tif 000009